(57)【要約】【課題】  状況に応じた配管を容易に行なうことができる管接続体を提供する。【解決手段】  水栓用ボックス３は、ボックス本体６と、管接続筒体７とからなる。そして、ボックス本体６は、本体部８と、その本体部８の周壁８ａから延設されて斜め後方を向く取付口９とを備える。管接続筒体７は、一端側に、前記取付口９にその取付口９が向く方向となる取付軸１０１の方向を向くようにして取り付けられる被取付部７ａを有する。また、管接続筒体７は、他端側に、鞘管２が接続される接続口７ｂを有する。そして、接続口７ｂの向く方向が、被取付部７ａの向く方向に対して傾斜している。こうして、被取付部７ａを取付口９に、前記取付軸１０１回りの回動位置を選択して取り付けることで、接続口７ｂの向きを、壁１に沿った第１の向き２０１と、後方側に傾斜した第２の向き２０２とに選択可能となっている。【選択図】  図１１
2005220620.tif 000002
【特許請求の範囲】
【請求項１】
管が接続される管接続体であって、
接続体本体と、その接続体本体に取り付けられるとともに前記管が接続される管接続筒体とを備え、
前記接続体本体は、その接続体本体の前面に開口する前面開口部が設けられた本体部と、その本体部内に連通するようにしてその本体部の周壁に設けられて斜め後方を向く取付口とを備え、
前記管接続筒体は、一端側に、前記取付口にその取付口が向く方向となる取付軸の方向を向くようにして取り付けられる被取付部が設けられ、他端側に、前記管が接続される接続口が設けられ、
前記接続口の向く方向が、前記被取付部の向く方向に対して傾斜して形成され、前記被取付部を前記取付口に、前記取付軸回りの回動位置を選択して取り付けることで、前記接続口の向きを、前記接続体本体の前面に沿った第１の向きと、後方側に傾斜した第２の向きとに選択可能であることを特徴とする管接続体。
【請求項２】
壁の内側に配備され、その壁の内側に配設される管が接続される管接続体であって、
接続体本体と、その接続体本体に取り付けられるとともに前記管が接続される管接続筒体とを備え、
前記接続体本体は、前記壁の表側に臨むよう開口する前面開口部が設けられた本体部と、その本体部内に連通するようにしてその本体部の周壁に設けられて斜め後方を向く取付口とを備え、
前記管接続筒体は、一端側に、前記取付口にその取付口が向く方向となる取付軸の方向を向くようにして取り付けられる被取付部が設けられ、他端側に、前記管が接続される接続口が設けられ、
前記接続口の向く方向が、前記被取付部の向く方向に対して傾斜して形成され、前記被取付部を前記取付口に、前記取付軸回りの回動位置を選択して取り付けることで、前記接続口の向きを、前記壁に沿った第１の向きと、後方側に傾斜した第２の向きとに選択可能であることを特徴とする管接続体。
【請求項３】
前記被取付部を前記取付口に、前記取付軸回りの回動位置を選択して取り付けることで、前記接続口の向きを、前記第１の向きと前記第２の向きとに加えて、前記第１の向きと前記第２の向きとを含む面に交差する向きに選択可能となっていることを特徴とする請求項１または２に記載の管接続体。
【請求項４】
前記被取付部を前記取付口に取り付けるべく、前記取付口には、その内面または外面に螺子部が設けられるとともに、前記被取付部には、前記螺子部と螺合する被螺合部が設けられ、
前記螺子部または前記被螺合部のいずれか一方は、選択された前記回動位置にて、前記螺子部または前記被螺合部のいずれか他方と螺合すべく、回転自在となっていることを特徴とする請求項１ないし３のいずれか１項に記載の管接続体。
【請求項５】
前記取付口と前記被取付部とには、選択された前記回動位置に位置決めするための、位置決め手段が設けられていることを特徴とする請求項１ないし４のいずれか１項に記載の管接続体。
【請求項６】
前記管接続体は、その内部に継手を収容する水栓用ボックスであることを特徴とする請求項１ないし５のいずれか１項に記載の管接続体。
【発明の詳細な説明】
【技術分野】
【０００１】
この発明は、管が接続される管接続体に関するものである。
【背景技術】
【０００２】
従来、例えば、管接続体としての水栓用ボックスを、建物の壁の内側に配備するにおいて、この水栓用ボックスを、壁の内側の柱、桟、当て木などに固定していた（例えば、特許文献１参照）。ここで、この水栓用ボックスは、鞘管を接続するための鞘管接続口が、壁に沿った方向を向いていた。このとき、壁の内側には、桟、当て木、胴縁などが、多数、適宜間隔で配設されていた。したがって、水栓用ボックスに接続された鞘管は、これら桟、当て木、胴縁等の障害物を避けるために、急に曲がった屈曲配管部を形成してしまうことがあった。
【０００３】
そして、このことは、コンクリート壁に埋設された水栓用ボックスに接続された鞘管が、壁内の障害物を回避する場合とか、ユニットバスの壁の内側に配備された水栓用ボックスに接続された鞘管が、ユニットバスにおける防水パンの突出部等の障害物を回避する場合などにも同様であった。
【０００４】
【特許文献１】特公平６−７４８６４号公報
【発明の開示】
【発明が解決しようとする課題】
【０００５】
ところで、前記従来の水栓用ボックスにあっては、水栓用ボックスに接続された鞘管に、屈曲配管部が形成されると、その後の、鞘管内への通水管の挿通に障害となることがあった。もっとも、従来より、ボックスの鞘管接続口の向きを予め斜め後方に向けた水栓用ボックスもあったが、この水栓用ボックスを用いると、壁の内側が狭い場合などに、逆に障害となる虞があった。
【０００６】
この発明は、上記した従来の欠点を解決するためになされたものであり、その目的とするところは、状況に応じた配管を容易に行なうことができる管接続体を提供することにある。
【課題を解決するための手段】
【０００７】
この発明に係る管接続体は、前記目的を達成するために、次の構成からなる。すなわち、
請求項１に記載の発明に係る管接続体は、管が接続される管接続体であって、接続体本体と、その接続体本体に取り付けられるとともに前記管が接続される管接続筒体とを備える。ここで、前記接続体本体は、その接続体本体の前面に開口する前面開口部が設けられた本体部と、その本体部内に連通するようにしてその本体部の周壁に設けられて斜め後方を向く取付口とを備える。一方、前記管接続筒体は、一端側に、前記取付口にその取付口が向く方向となる取付軸の方向を向くようにして取り付けられる被取付部が設けられ、他端側に、前記管が接続される接続口が設けられる。そこで、前記接続口の向く方向が、前記被取付部の向く方向に対して傾斜して形成され、前記被取付部を前記取付口に、前記取付軸回りの回動位置を選択して取り付けることで、前記接続口の向きを、前記接続体本体の前面に沿った第１の向きと、後方側に傾斜した第２の向きとに選択可能となっている。
【０００８】
このように、管接続体は、接続体本体の取付口に、管接続筒体を取り付ける際に、取付軸回りの回動位置を選択して取り付けることで、管が接続される接続口の向きを、接続体本体の前面に沿った第１の向きと、後方側に傾斜した第２の向きとに選択可能となっている。したがって、この管接続体が配備される場所の、接続体本体の前面に沿う方向に、障害物がある場合には、接続口の向きを、後方側に傾斜した第２の向きとすることで、この接続口に接続される管を、急に曲がった屈曲配管部を形成することなく、前記障害物を避けるようにして容易に配管することができる。また、前記障害物がない場合には、接続口の向きを、接続体本体の前面に沿った第１の向きとすることで、接続口に接続される管を、接続体本体の前面に沿って容易に配管することができる。こうして、状況によって、接続口の向きを第１の向きと第２の向きとで選択することで、その接続口に接続される管は、容易に配管される。
【０００９】
また、請求項２に記載の発明に係る管接続体は、壁の内側に配備され、その壁の内側に配設される管が接続される管接続体である。この管接続体は、接続体本体と、その接続体本体に取り付けられるとともに前記管が接続される管接続筒体とを備える。ここで、前記接続体本体は、前記壁の表側に臨むよう開口する前面開口部が設けられた本体部と、その本体部内に連通するようにしてその本体部の周壁に設けられて斜め後方を向く取付口とを備える。一方、前記管接続筒体は、一端側に、前記取付口にその取付口が向く方向となる取付軸の方向を向くようにして取り付けられる被取付部が設けられ、他端側に、前記管が接続される接続口が設けられる。そこで、前記接続口の向く方向が、前記被取付部の向く方向に対して傾斜して形成され、前記被取付部を前記取付口に、前記取付軸回りの回動位置を選択して取り付けることで、前記接続口の向きを、前記壁に沿った第１の向きと、後方側に傾斜した第２の向きとに選択可能となっている。
【００１０】
このように、管接続体は、接続体本体の取付口に、管接続筒体を取り付ける際に、取付軸回りの回動位置を選択して取り付けることで、管が接続される接続口の向きを、壁に沿った第１の向きと、後方側に傾斜した第２の向きとに選択可能となっている。したがって、この管接続体が配備される壁の内側に障害物がある場合には、接続口の向きを、後方側に傾斜した第２の向きとすることで、この接続口に接続される管を、急に曲がった屈曲配管部を形成することなく、前記障害物を避けるように壁から遠ざけて容易に配管することができる。また、壁の内側が狭い場合には、接続口の向きを、壁に沿った第１の向きとすることで、接続口に接続される管を、壁の内側にその壁に沿って容易に配管することができる。こうして、壁の内側の状況によって、接続口の向きを第１の向きと第２の向きとで選択することで、その接続口に接続される管は、壁の内側に容易に配管される。
【００１１】
また、請求項３に記載の発明に係る管接続体のように、請求項１または２に記載の管接続体において、前記被取付部を前記取付口に、前記取付軸回りの回動位置を選択して取り付けることで、前記接続口の向きを、前記第１の向きと前記第２の向きとに加えて、前記第１の向きと前記第２の向きとを含む面に交差する向きに選択可能となっていてもよい。これにより、状況によって、接続口の向きを、第１の向きと第２の向きの他に、第１の向きと第２の向きとを含む面に交差する向きとで選択することで、その接続口に接続される管は、一層容易に配管される。
【００１２】
また、請求項４に記載の発明に係る管接続体のように、請求項１ないし３のいずれか１項に記載の管接続体において、前記被取付部を前記取付口に取り付けるべく、前記取付口には、その内面または外面に螺子部が設けられるとともに、前記被取付部には、前記螺子部と螺合する被螺合部が設けられ、前記螺子部または前記被螺合部のいずれか一方は、選択された前記回動位置にて、前記螺子部または前記被螺合部のいずれか他方と螺合すべく、回転自在となっていてもよい。これにより、選択された回動位置にて、取付口に設けられた螺子部または被取付部に設けられた被螺合部のいずれか一方を、いずれか他方に対して回転することで、螺子部と被螺合部とは螺合し、被取付部は取付口に取り付けられる。
【００１３】
また、請求項５に記載の発明に係る管接続体のように、請求項１ないし４のいずれか１項に記載の管接続体において、前記取付口と前記被取付部とには、選択された前記回動位置に位置決めするための、位置決め手段が設けられてもよい。こうして、取付口と被取付部とに位置決め手段が設けられることで、被取付部は、選択された回動位置にて、取付口に容易に取り付けられる。
【００１４】
また、請求項６に記載の発明に係る管接続体のように、請求項１ないし５のいずれか１項に記載の管接続体において、前記管接続体は、その内部に継手を収容する水栓用ボックスであってもよい。
【発明の効果】
【００１５】
以上、詳述したところから明らかなように、この発明に係る管接続体によれば、管が接続される接続口の向きを選択することで、状況に応じた配管を容易に行なうことができる。
【発明を実施するための最良の形態】
【００１６】
以下、この発明に係る管接続体を実施するための最良の形態を図面に基づいて説明する。
【００１７】
図１ないし図１９は、本発明に係る管接続体の一実施の形態を示す。図中符号１は、壁、例えば、建物の壁である。２は、特に、壁１の内側に配設される管としての鞘管である。３は、特に、壁１の内側に配備される管接続体、例えば、配線・配管用のボックスとしての水栓用ボックス（給水用ボックス）、詳細には、その内部に継手４を収容する水栓用ボックス（給水用ボックス）である。そして、この水栓用ボックス３に、前記鞘管２が接続される。５は、前記水栓用ボックス３の、壁１の表側に向かって開口する前面開口部３ａを閉塞するように取り付けられる閉塞カバーである。そして、この閉塞カバー５は、壁１に前記前面開口部３ａと対向する壁孔１ａが明けられた後に、その壁孔１ａを通って壁１の表側に取り出される。特に、この閉塞カバー５は、壁１に、大きさとか形の異なる壁孔１ａが選択的に明けられた後に、その壁孔１ａを通って壁１の表側に取り出されるものである。そして、閉塞カバー５が、壁孔１ａを通って壁１の表側に取り出された後に、前記継手４が水栓用ボックス３に取り付けられる。
【００１８】
ここにおいて、水栓用ボックス３は、図１および図２に示すように、接続体本体としてのボックス本体６と、そのボックス本体６に取り付けられるとともに前記鞘管２が接続される管接続筒体７とを備える。そして、ボックス本体６は、壁１の表側に臨むよう、ボックス本体６の前面６ａに開口する前記前面開口部３ａが設けられた本体部８と、その本体部８内に連通するようにしてその本体部８の周壁８ａに設けられて（図示実施の形態においては、周壁８ａから延設されて）斜め後方を向く取付口９とを備える。一方、管接続筒体７は、一端側に、前記取付口９にその取付口９が向く方向となる取付軸１０１の方向を向くようにして取り付けられる被取付部７ａが設けられている。そして、管接続筒体７は、他端側に、前記鞘管２が接続される接続口７ｂが設けられている。つまり、鞘管２は、前記接続口７ｂにその接続口７ｂが向く方向となる接続軸１０２の方向を向くようにして接続される。そして、この管接続筒体７においては、接続口７ｂの向く方向が、被取付部７ａの向く方向に対して傾斜して形成され（言い換えれば、取付軸１０１と接続軸１０２とが角度を有し）、被取付部７ａを前記取付口９に、前記取付軸１０１回りの回動位置を選択して取り付けることで、接続口７ｂの向きを、ボックス本体６の前面６ａに沿った、すなわち壁１に沿った第１の向き２０１（図２、図１０参照）と、後方側に傾斜した第２の向き２０２（図１１参照）とに選択可能となっている。さらに、図示実施の形態においては、被取付部７ａを取付口９に、前記取付軸１０１回りの回動位置を選択して取り付けることで、接続口７ｂの向きを、前記第１の向き２０１と前記第２の向き２０２とに加えて、前記第１の向き２０１と前記第２の向き２０２とを含む面に交差する向きに選択可能となっている。
【００１９】
具体的には、水栓用ボックス３、すなわち、ボックス本体６および管接続筒体７は、塩化ビニル樹脂等の合成樹脂からなる。そして、ボックス本体６における前記本体部８は、略矩形形状箱型に形成されており、その前面側に前記前面開口部３ａが明けられている。ただし、この本体部８における前面側の下部は、前壁８ｂによって閉じており、特に、その前壁８ｂの上部部分は、ノックアウトによって除去可能なノックアウト片８ｃとなっている。また、本体部８には、その前面側に前面フランジ部８ｄ、上面側に上面フランジ部８ｅ、下面側に下面フランジ部８ｆが形成されている。そして、前面フランジ部８ｄには、その裏面側に、例えば金属製の取付具１０、１０が設けられている。この取付具１０は、前記継手４あるいは後述する固定枠２４を水栓用ボックス３に取付固定するためのものであり、固着具としての取付ネジ１１、１２が螺合するネジ孔１０ａ、１０ｂが明けられている。そして、前面フランジ部８ｄには、前記ネジ孔１０ａ、１０ｂと連通するように通孔８ｇ、８ｈが明けられている。また、前面フランジ部８ｄは、その前面から、前面開口部３ａを挟んで、円、特に大円を形成するように窪む第１の段部８ｉ、８ｉが設けられており、そして、それら第１の段部８ｉ、８ｉから、さらに、前面開口部３ａを挟んで、円、特に小円を形成するように窪む第２の段部８ｊ、８ｊが設けられている。そして、第１の段部８ｉに、前記通孔８ｈ、８ｈが明けられ、第２の段部８ｊに、前記通孔８ｇが明けられている。そして、前記ノックアウト片８ｃは、第１の段部８ｉ、８ｉの下部において、それら第１の段部８ｉ、８ｉに架け渡されている。
【００２０】
取付口９は、本体部８の周壁８ａとなる下壁に設けられて（図示実施の形態においては、下壁から延設されて）、真下に対して斜め後方を向いている。そこで、この取付口９に前記管接続筒体７の被取付部７ａを取り付けるべく、取付口９には、その内面または外面（図示実施の形態においては、内面）に螺子部９ａが設けられ、そして、被取付部７ａには、その外面または内面（図示実施の形態においては、外面）に前記螺子部９ａと螺合する被螺合部７ｃが設けられている。詳細には、取付口９は、本体部８と一体に樹脂成形された取付基部９ｂと、その取付基部９ｂに係合するように取り付けられた袋ナット９ｃとからなる。そして、この袋ナット９ｃの雌ねじが、前記螺子部９ａとなっている。すなわち、螺子部９ａ、言い換えれば袋ナット９ｃは、選択された被取付部７ａの回動位置にて、被取付部７ａにおける被螺合部７ｃと螺合すべく、回転自在となっている。こうして、選択された回動位置にて、取付口９に設けられた螺子部９ａ、つまりは袋ナット９ｃを、被螺合部７ｃに対して回転することで、螺子部９ａと被螺合部７ｃとは螺合し、被取付部７ａは取付口９に取り付けられる。そして、図示実施の形態においては、接続口７ｂの前記第１の向き２０１は、真下を向く向きであり（図２、図１０参照）、前記第２の向き２０２は、前記第１の向き２０１から、管接続筒体７（詳細には、被取付部７ａ）を取付軸１０１回りに１８０°回動させて得られる向き、つまり、真下に対して斜め後方であって、取付口９の向き（すなわち取付軸１０１の向き）よりも二倍の角度傾いた向きとなる（図１１参照）。さらに、図示しないが、管接続筒体７（詳細には、被取付部７ａ）の取付軸１０１回りの回動位置を他の位置にすることで、接続口７ｂの向きは、第１の向き２０１と第２の向き２０２とを含む面に交差する向き（図示実施の形態においては、左右に傾いた向き）となる。
【００２１】
また、取付口９と被取付部７ａとには、選択された回動位置に位置決めするための、位置決め手段１３が設けられている。この位置決め手段１３によって、被取付部７ａは、選択された回動位置にて、取付口９に容易に取り付けられる。詳細には、この位置決め手段１３は、互いに係合する凹凸によって構成されている。図示実施の形態においては、取付口９の端面（詳細には、取付基部９ｂの端面）の適宜位置に、凸部９ｄが形成されている。そして、被取付部７ａの端面に、前記凸部９ｄと係合する凹部７ｄが、円周方向に連続して並んで形成されている。こうして、取付口９に対する被取付部７ａの前記回動位置は、前記凹部７ｄか並ぶピッチの間隔毎に定まることとなる。
【００２２】
閉塞カバー５は、図１ないし図６に示すように、水栓用ボックス３における前面開口部３ａの各部分をそれぞれ覆うように配置される複数のカバー部１４、１４を有している。そして、これら複数のカバー部１４、１４の内の少なくとも一つのカバー部１４は、その一つのカバー部１４とは異なる他のカバー部１４に対して、他のカバー部１４とは反対側の端部５ａ側が水栓用ボックス３の内側に向かうよう、ヒンジ部５ｂを介して屈曲可能に連結されてなる可曲カバー部１４ａとなっている（図７ないし図９参照）。この可曲カバー部１４ａは、少なくとも二つ（図示実施の形態においては二つ）設けられ、それら二つの可曲カバー部１４ａ、１４ａは、互いの裏面が対向する側に屈曲可能となっている。また、他のカバー部１４は、水栓用ボックス３に着脱可能に固定される固定カバー部１４ｂからなる。そして、前記二つの可曲カバー部１４ａ、１４ａは、この固定カバー部１４ｂを挟むように配置されている。さらに、これら二つの可曲カバー部１４ａ、１４ａは、例えば、互いが平行となるまで、あるいはそれ以上に屈曲することが可能となっている。なお、この閉塞カバー５には、壁１の表側から、水栓用ボックス３における前面開口部３ａの位置（特に、中央位置）を探知するために、被探知材としてのマグネット１５が備えられている。
【００２３】
具体的には、閉塞カバー５は、ポリプロピレン樹脂等の合成樹脂からなる。そして、前記固定カバー部１４ｂは、水栓用ボックス３における前面フランジ部８ｄ、特に第２の段部８ｊ、８ｊに渡されるように、例えば横長の長方形形状に形成されている。そして、図３に示すように、固定カバー部１４ｂには、その固定カバー部１４ｂを水栓用ボックス３に着脱可能に固定すべく、水栓用ボックス３に掛けられる掛合部５ｃが設けられている。この掛合部５ｃは、固定カバー部１４ｂから後方に延設されて形成されており、その先端部分に、取付具１０の裏面と掛り合う爪５ｄを有している。すなわち、掛合部５ｃは、本体部８内に挿入されて、爪５ｄが、本体部８に明けられた孔８ｋを通って、取付具１０に掛かるようになっている。そして、固定カバー部１４ｂには、この閉塞カバー５を水栓用ボックス３に対して位置決めするために、通孔８ｇに挿入される突部５ｅが設けられている（図３参照）。また、この固定カバー部１４ｂの中央に、前記マグネット１５が取り付けられている。
【００２４】
二つの可曲カバー部１４ａ、１４ａは、矩形形状に形成されて、一方が固定カバー部１４ｂの上方に、そして、他方が固定カバー部１４ｂの下方に配置される。そして、可曲カバー部１４ａには、前記ヒンジ部５ｂと前記端部５ａとの間に（詳細には、ヒンジ部５ｂと端部５ａとの間であって、ヒンジ部５ｂに近接して）、水栓用ボックス３の前面開口部３ａの周縁における前面部（図示実施の形態においては、第２の段部８ｊ、８ｊ）と対向するように突出する突片５ｆ、５ｆが設けられている（図１参照）。そこで、図７ないし図９に示すように、可曲カバー部１４ａ、１４ａを、他のカバー部１４（図示実施の形態においては固定カバー部１４ｂ）に対して、可曲カバー部１４ａ、１４ａの端部５ａ、５ａ側が水栓用ボックス３（詳細には、本体部８）の内側に向かうよう屈曲させることで、前記突片５ｆ、５ｆにおける、前記端部５ａ、５ａ側の端縁５ｇ、５ｇが、水栓用ボックス３の前記前面部（図示実施の形態においては、第２の段部８ｊ、８ｊ）に当接して、ヒンジ部５ｂ、５ｂが、壁１の表側に向かって押し出される。そして、このヒンジ部５ｂ、５ｂとともに固定カバー部１４ｂが壁１の表側に向かって押し出されるのに伴って、前記掛合部５ｃ、５ｃが、水栓用ボックス３（詳細には、取付具１０、１０）から外れる。
【００２５】
次に、以上の構成からなる水栓用ボックス３および閉塞カバー５を用いた施工手順について説明する。図１２ないし図１７は、この水栓用ボックス３に、継手４としての水栓エルボ４ａを取り付ける場合を示す。始めに、図１２に示すように、柱、桟、当て木などの支持材１６に、閉塞カバー５が取り付けられた水栓用ボックス３を、ネジ１７、１７を用いて固定する。そして、水栓用ボックス３の接続口７ｂに鞘管２を接続する。その後、図１３に示すように、支持材１６および水栓用ボックス３の前面側に、壁１を張る。そして、その壁１の表側から、探知器１８を用いて、閉塞カバー５に取り付けられたマグネット１５の位置、すなわち水栓用ボックス３の前面開口部３ａの中央位置を探知し、その位置に目印を付けておく。次いで、図１４に示すように、前記目印を中心にして、切断工具としてのホルソー１９を用いて、壁１に壁孔１ａを明ける。このとき、水栓用ボックス３の前面開口部３ａは、閉塞カバー５によって閉塞されている。したがって、この閉塞カバー５により、ホルソー１９による切り粉が、水栓用ボックス３内、さらには鞘管２内に侵入するのを防ぐことができる。その後、図１５に示すように、水栓用ボックス３に取り付けられた閉塞カバー５を、二つの可曲カバー部１４ａ、１４ａを両側から屈曲させながら摘むようにして、壁孔１ａから壁１の表側に取り出す。その後に、図１６に示すように、鞘管２内に配管材としての通水管２０を挿通し、その先端部分を、水栓用ボックス３の前面開口部３ａおよび壁孔１ａを通して、壁１の表側に引き出す。そして、その通水管２０の先端部分に水栓エルボ４ａを接続する。次いで、図１７に示すように、通水管２０を、壁孔１ａを通って前面開口部３ａから水栓用ボックス３内に押し戻すようにして、その通水管２０の先端部分に接続された水栓エルボ４ａを、取付ネジ１１、１１を用いて水栓用ボックス３の前面開口部３ａ部分に取り付ける。そして、水栓エルボ４ａに、化粧リング２１およびロックナット２２を取り付ける（図１０、図１１参照）。最後に、図示を省略するが、水栓エルボ４ａに、給水器具、特に水栓器具としての単水栓等の水栓を接続する。
【００２６】
図１８および図１９は、この水栓用ボックス３に、前記水栓エルボ４ａに替えて、継手４としてのコンセントエルボ４ｂを取り付ける場合を示している。ここで、前述の水栓エルボ４ａの場合の図１２ないし図１５は、ほぼそのまま適用されるが、水栓用ボックス３のノックアウト片８ｃは、予め切除される。そして、壁孔１ａは、水栓エルボ４ａの場合の小径に対して、コンセントエルボ４ｂの場合には、大径となるよう明けられる。図１８は、前述の水栓エルボ４ａの場合の図１６相当図であり、通水管２０の先端部分には、コンセントエルボ４ｂが接続される。図１９は、前述の水栓エルボ４ａの場合の図１７相当図であり、化粧リング２１およびロックナット２２の取付に替えて、コンセントエルボ４ｂにハンドル２３を取り付け、そして、水栓用ボックス３に固定枠２４を、取付ネジ１２、１２を用いて取り付ける。そして、固定枠２４にパッキン２５およびカバー２６を取り付ける。最後に、図示を省略するが、コンセントエルボ４ｂに、給水器具として、例えば洗濯機用の給水ホースを接続する。
【００２７】
次に、これら水栓用ボックス３および閉塞カバー５の作用効果について説明する。この水栓用ボックス３は、ボックス本体６の取付口９に、管接続筒体７を取り付ける際に、取付軸１０１回りの回動位置を選択して取り付けることで、鞘管２が接続される接続口７ｂの向きを、ボックス本体６の前面６ａに沿った、すなわち壁１に沿った第１の向き２０１（図２、図１０参照）と、後方側に傾斜した第２の向き２０２（図１１参照）とに選択可能となっている。したがって、図１１に示すように、この水栓用ボックス３が配備される壁１の内側に（特に、ボックス本体６の前面６ａに沿う方向に）、桟、当て木、胴縁等の障害物２７がある場合には、接続口７ｂの向きを、後方側に傾斜した第２の向き２０２とすることで、この接続口７ｂに接続される鞘管２を、急に曲がった屈曲配管部を形成することなく、障害物２７を避けるように壁１から遠ざけて容易に配管することができる。また、前記障害物２７がない場合、特に壁１の内側が狭い場合には、図１０に示すように、接続口７ｂの向きを、ボックス本体６の前面６ａに沿った、すなわち壁１に沿った第１の向き２０１とすることで、接続口７ｂに接続される鞘管２を、壁１の内側に、ボックス本体６の前面６ａに沿って、すなわち壁１に沿って容易に配管することができる。こうして、壁１の内側の状況によって、接続口７ｂの向きを第１の向き２０１と第２の向き２０２とで選択することで、その接続口７ｂに接続される鞘管２は、壁１の内側に容易に配管される。このように、この水栓用ボックス３によれば、鞘管２が接続される接続口７ｂの向きを選択することで、壁１の内側の状況に応じた配管を容易に行なうことができる。しかも、接続口７ｂの向きは、前記第１および第２の向き２０１、２０２のみならず、第１の向き２０１と第２の向き２０２とを含む面に交差する向き（図示実施の形態においては、左右に傾いた向き）への選択が可能となっており、壁１の内側の状況によって、これらの向きの中から選択することで、その接続口７ｂに接続される鞘管２は、壁１の内側に一層容易に配管される。
【００２８】
また、閉塞カバー５においては、水栓用ボックス３に取り付けられた閉塞カバー５を、壁１に明けられた壁孔１ａを通って壁１の表側に取り出すには、図７ないし図９に示すように、可曲カバー部１４ａを、他のカバー部となる固定カバー部１４ｂに対して、固定カバー部１４ｂとは反対側の端部５ａ側が水栓用ボックス３の内側に向かうように、ヒンジ部５ｂから屈曲させる。こうして、閉塞カバー５が折られて小さくなったところで、可曲カバー部１４ａに指を掛ける等して、閉塞カバー５を、壁孔１ａを通して壁１の表側に取り出す。このように、可曲カバー部１４ａを屈曲させて、閉塞カバー５を小さくすることで、壁１に明けられた壁孔１ａが、小さかったりずれている場合、あるいは大きさとか形が異なる場合であっても、閉塞カバー５を、容易に壁１の表側に取り出すことができる。特に、可曲カバー部１４ａは、二つ設けられ、それら二つの可曲カバー部１４ａ、１４ａが互いの裏面が対向する側に屈曲可能であることから、そのように二つの可曲カバー部１４ａ、１４ａを屈曲させて、それら二つの可曲カバー部１４ａ、１４ａを両側から指で摘むことで、閉塞カバー５は、一層容易に壁１の表側に取り出される。
【００２９】
また、図示実施の形態においては、可曲カバー部１４ａには、ヒンジ部５ｂと、可曲カバー部１４ａの端部５ａとの間に、水栓用ボックス３の前面開口部３ａの周縁における前面部（図示実施の形態においては、第２の段部８ｊ）と対向するように突出する、突片５ｆが設けられている。したがって、閉塞カバー５を壁１の表側に取り出す際に、可曲カバー部１４ａを、他のカバー部となる固定カバー部１４ｂに対して屈曲させると、突片５ｆの端縁５ｇが水栓用ボックス３の前面部（図示実施の形態においては、第２の段部８ｊ）に当接して、ヒンジ部５ｂが、壁１の表側に向かって、すなわち手前側に押し出される（図９参照）。したがって、閉塞カバー５は、より一層容易に壁１の表側に取り出される。しかも、このとき、ヒンジ部５ｂの押出しに伴って、水栓用ボックス３に掛けられた掛合部５ｃが、水栓用ボックス３（詳細には、取付具１０）から外れるため、閉塞カバー５は、簡単に壁１の表側に取り出される。
【００３０】
なお、本発明は、上述した実施の形態に限定されるわけではなく、その他種々の変更が可能である。例えば、壁１は、建物自身の壁でなくとも、建物内の壁、例えばユニットバスの壁であってもよい。このように、この水栓用ボックス３をユニットバスの壁に適用すると、この水栓用ボックス３が配備される壁の内側に、防水パンの突出部等の障害物がある場合に、接続口７ｂの向きを、後方側に傾斜した第２の向き２０２とすることで、この接続口７ｂに接続される鞘管２を、急に曲がった屈曲配管部を形成することなく、前記防水パンの突出部等の障害物を避けるように壁から遠ざけて容易に配管することができる。
【００３１】
さらに、壁１は、水栓用ボックス３の前面側を覆うような、石膏ボード等の壁板材からならなくとも、水栓用ボックス３を埋設するコンクリート壁等であってもよい。
【００３２】
また、壁１に明けられる壁孔１ａは、円形形状の孔に限定されるものではなく、例えば、二つ以上の円が、一部ラップして明けられる孔等、その他の形状を有する孔であってもよい。
【００３３】
また、水栓用ボックス３において、取付口９には、袋ナット９ｃが設けられ、その袋ナット９ｃの雌ねじが螺子部９ａとなり、被取付部７ａの外面に前記螺子部９ａと螺合する被螺合部７ｃが設けられているが、反対に、被取付部７ａに袋ナットが設けられ、その袋ナットの雌ねじが被螺合部となり、取付口９の外面に前記被螺合部と螺合する螺子部が設けられてもよい。
【００３４】
また、水栓用ボックス３における、取付口９への管接続筒体７の取付にあたって、袋ナット９ｃを用いなくとも、例えば、取付口９に対する被取付部７ａの各回動位置にて、被取付部７ａが取付口９に係合あるいは嵌合するようにして取り付けられてもよい。
【００３５】
また、閉塞カバー５においては、可曲カバー部１４ａは、二つ設けられているが、一つであってもよく、また、三つ以上であってもよい。すなわち、可曲カバー部１４ａは、水栓用ボックス３の前面開口部３ａの形状とか、明けられる壁孔１ａの形状等に応じて、その数や形状や配置が決定されるのが好ましい。また、閉塞カバー５は、固定カバー部１４ｂを備えているが、この固定カバー部１４ｂは無くともよい。
【００３６】
また、管接続体は、水栓用ボックス３（給水用ボックス）でなくとも、ガス供給用ボックス等であってもよい。さらには、管接続体は、配管用のボックスでなくとも、スイッチボックス等の、鞘管が接続される配線用のボックスであってもよい。すなわち、管接続体は、鞘管等の管が接続されるものであれば、どのようなものであってもよい。
【００３７】
また、水栓用ボックス３（管接続体）は、壁１の内側に配備されなくとも、壁１から露出して配備されてもよい。そして、鞘管２（管）においても、壁１の内側に配設されなくとも、壁１の外側に配設されてもよい。さらには、水栓用ボックス３（管接続体）は、壁１に対して配備されなくとも、その他の場所に配備されてもよい。
【図面の簡単な説明】
【００３８】
【図１】この発明の一実施の形態の、水栓用ボックスに閉塞カバーが取り付けられた状態を示す正面図である。
【図２】同じく、図１におけるＡ−Ａ線による断面図である。
【図３】同じく、図１におけるＢ−Ｂ線による拡大断面図である。
【図４】同じく、閉塞カバーの正面図である。
【図５】同じく、図４におけるＣ−Ｃ線による拡大断面図である。
【図６】同じく、閉塞カバーの、背面側から見た斜視図である。
【図７】同じく、水栓用ボックスに取り付けられた閉塞カバーの、可曲カバー部を屈曲させた状態を示す正面図である。
【図８】同じく、図７におけるＤ−Ｄ線による断面図である。
【図９】同じく、図７におけるＥ−Ｅ線による拡大断面図である。
【図１０】同じく、壁の内側に配備された水栓用ボックスの、接続口が第１の向きを向く状態を示す縦断面図である。
【図１１】同じく、壁の内側に配備された水栓用ボックスの、接続口が第２の向きを向く状態を示す縦断面図である。
【図１２】同じく、施工手順を示す、第１の図である。
【図１３】同じく、施工手順を示す、第２の図である。
【図１４】同じく、施工手順を示す、第３の図である。
【図１５】同じく、施工手順を示す、第４の図である。
【図１６】同じく、施工手順を示す、第５の図である。
【図１７】同じく、施工手順を示す、第６の図である。
【図１８】同じく、他の施工手順を示す、図１６相当図である。
【図１９】同じく、他の施工手順を示す、図１７相当図である。
【符号の説明】
【００３９】
１  壁
２  鞘管（管）
３  水栓用ボックス（管接続体）
３ａ  前面開口部
６  ボックス本体（接続体本体）
６ａ  前面
７  管接続筒体
７ａ  被取付部
７ｂ  接続口
７ｃ  被螺合部
８  本体部
８ａ  周壁
９  取付口
９ａ  螺子部
１３  位置決め手段
１０１  取付軸
２０１  第１の向き
２０２  第２の向き
【図１】
2005220620.tif 000003
【図２】
2005220620.tif 000004
【図３】
2005220620.tif 000005
【図４】
2005220620.tif 000006
【図５】
2005220620.tif 000007
【図６】
2005220620.tif 000008
【図７】
2005220620.tif 000009
【図８】
2005220620.tif 000010
【図９】
2005220620.tif 000011
【図１０】
2005220620.tif 000012
【図１１】
2005220620.tif 000013
【図１２】
2005220620.tif 000014
【図１３】
2005220620.tif 000015
【図１４】
2005220620.tif 000016
【図１５】
2005220620.tif 000017
【図１６】
2005220620.tif 000018
【図１７】
2005220620.tif 000019
【図１８】
2005220620.tif 000020
【図１９】
2005220620.tif 000021